(57)【特許請求の範囲】
【請求項１】
シリンダ錠を固定筒の内周に係着し、扉内に設けた錠箱に、扉面に穿設した錠挿入穴を介して該固定筒の基端を固定し、前記扉面から突出した前記固定筒の先端側外周に、先端側を開口した略円錐状の化粧リングを、先端部が前記固定筒の先端側となるように外挿し、かつ前記固定筒に外挿した付勢手段の付勢力によって該化粧リングの後端部を前記扉面に当接させた錠構造において、
前記固定筒は、内固定筒と、外固定筒との二重構造で構成され、
前記内固定筒は、後端部が、前記錠箱に回動不能に固定されるとともに、前記シリンダ錠の軸線方向の移動を阻止し且つ回動不能に該シリンダ錠が固定され、
前記外固定筒は、前記内固定筒の外周に、軸線方向に移動不能とされ且つ相対回転可能に係着されており、
前記シリンダ錠を、前記内固定筒を介して前記錠箱に固定するとともに、
前記扉面より突出する前記外固定筒の先端側外周に、前記化粧リングが脱落を阻止されて且つ相対回転可能に係着され、
前記外固定筒の先端に、前記化粧リングの先端に当接して該化粧リングの固定筒先端からの脱落を阻止するフランジ部を設け、
該フランジ部と前記化粧リングとの間で前記化粧リングを前記扉面に当接させる方向に付勢する前記付勢手段であるウェーブワッシャーを前記外固定筒に外挿して設け、
前記フランジ部と前記化粧リングとの間の前記外固定筒に、任意の数に選択される隙間調整用スペーサリングを外挿したことを特徴とする錠構造。
【請求項２】
前記化粧リングが、断面内に中空部を有しない中実の略円錐状筒体であることを特徴とする請求項１記載の錠構造。
【発明の詳細な説明】
【０００１】
【発明の属する技術分野】
本発明は、扉面から突出したシリンダ錠の外周に、化粧リングを外挿してなる錠構造に関する。
【０００２】
【従来の技術】
シリンダ錠は、外筒の内側に、キー挿入孔を有した内筒を備え、キー挿入方向に配設した複数のピンを、キー溝の深さに合わせて内外筒の直径方向所定位置に移動することで、挿入キーとともに内筒を回転可能にし、扉内に設けた錠箱内施錠機構へ施解錠操作力を入力し、扉の木口からデッドボルトを進退させて扉の施解錠を可能にしている。
【０００３】
このシリンダ錠１は、図６に示すように、固定筒３の内部に、スペーサ５を介して収容される。固定筒３の内壁には軸線方向の溝７を設けてあり、溝７はシリンダ錠１の外周に軸線方向で突設した突起９と嵌合してシリンダ錠１の回動を規制している。また、固定筒３の後部内周には周溝１１を設けてあり、この周溝１１には止めリング１３を嵌入している。止めリング１３は、リング状のライナー１５を介してシリンダ錠１の後端面を押さえ、シリンダ錠１の軸線方向後方（図６の右方）への移動を阻止している。
【０００４】
固定筒３は、扉面１７ａに穿設した錠挿入穴１９に後部を挿入し、扉１７内に設けた図示しない錠箱に基端３ａを固定する。扉面１７ａから突出した固定筒３の先端側外周には、先端側を切除した円錐状の化粧リング２１を、先端部がシリンダ錠１の先端側となるように外挿している。固定筒３の外周にはコイルバネ２３を外挿支持してあり、コイルバネ２３は付勢力によって化粧リング２１を付勢し、その後端部を扉面１７ａに当接させている。
【０００５】
このような化粧リング２１の付勢構造を採用することで、シリンダ錠１の扉面１７ａからの突出長さが異なる場合であっても、常に化粧リング２１の後端面を扉面１７ａに当接して錠挿入穴１９を覆うことができ、厚みの異なる扉１７に対する同一シリンダ錠１の取り付けを可能にしていた。
【０００６】
【発明が解決しようとする課題】
しかしながら、従来の錠構造に用いていた化粧リングは、板金加工により製作した薄板素材の円錐状の筒体であることから、断面内に中空部２１ａ（図６参照）を有し、固定筒に外挿した場合、固定筒との間に空洞を形成する。このため、化粧リングを潰して変形させれば、工具を用いて挟み持つことが可能となり、この状態で化粧リングとともに、固定筒及びシリンダ錠を無理やり回転し、錠装置を破壊することも可能になる。
【０００７】
また、化粧リングは、厚みの異なる扉に対して同一シリンダ錠を取り付け可能にすることから、固定筒に外挿支持したコイルバネの付勢力によって後端部を扉面に当接させている。このため、コイルバネが収縮する距離だけ扉表面から浮き上がらせることが可能となり、それによって化粧リングをこじあけ、表出したシリンダ錠に大きな外力を加えることで、シリンダ錠をもぎ取る暴力的な不正解錠も想定できる。
【０００８】
本発明は上記状況に鑑みてなされたもので、その第一の目的は、化粧リングを掴み回転することによる破壊を阻止できる錠構造を提供することにある。
また、その第二の目的は、化粧リングをこじあけ、表出したシリンダ錠に大きな外力を加えることによる破壊を阻止できる錠構造を提供することにある。
【０００９】
【課題を解決するための手段】
次に、上記の課題を解決するための手段を、実施の形態に対応する図面を参照して説明する。
この発明の請求項１記載の錠構造は、シリンダ錠３１を固定筒４３の内周に係着し、扉内に設けた錠箱に、扉面に穿設した錠挿入穴を介して該固定筒４３の基端を固定し、前記扉面から突出した前記固定筒４３の先端側外周に、先端側を開口した略円錐状の化粧リング６７を、先端部が前記固定筒４３の先端側となるように外挿し、かつ前記固定筒４３に外挿した付勢手段７３の付勢力によって該化粧リング６７の後端部を前記扉面に当接させた錠構造において、
前記固定筒４３は、内固定筒４５と、外固定筒４７との二重構造で構成され、
前記内固定筒４５は、後端部が、前記錠箱に回動不能に固定されるとともに、前記シリンダ錠３１の軸線方向の移動を阻止し且つ回動不能に該シリンダ錠３１が固定され、
前記外固定筒４７は、前記内固定筒４５の外周に、軸線方向に移動不能とされ且つ相対回転可能に係着されており、
前記シリンダ錠３１を、前記内固定筒４５を介して前記錠箱に固定するとともに、
前記扉面より突出する前記外固定筒４７の先端側外周に、前記化粧リング６７が脱落を阻止されて且つ相対回転可能に係着され、
前記外固定筒４７の先端に、前記化粧リング６７の先端に当接して該化粧リング６７の固定筒４３先端からの脱落を阻止するフランジ部５５を設け、
該フランジ部５５と前記化粧リング６７との間で前記化粧リング６７を前記扉面に当接させる方向に付勢する前記付勢手段であるウェーブワッシャー７３を前記外固定筒４７に外挿して設け、
前記フランジ部５５と前記化粧リング６７との間の前記外固定筒４７に、任意の数に選択される隙間調整用スペーサリング７５を外挿したことを特徴とする。
【００１０】
この錠構造では、シリンダ錠３１を内設して錠箱に固定した内固定筒４５に対し、外固定筒４７が抜脱は阻止されて回動自在となる。つまり、外固定筒４７に係着した化粧リング６７がシリンダ錠３１，錠箱に対して回動することになる。したがって、外部から化粧リング６７を挟持して回しても、化粧リング６７自体、或いは外固定筒４７とともに空転することになり、化粧リング６７を介してシリンダ錠３１を回すことは不可能になる。これにより、シリンダ錠３１を無理やり回すことによる錠機構の破壊が防止可能になる。
また、この錠構造では、隙間調整用スペーサリング７５の枚数を変えてフランジ部５５と化粧リング６７との間隙に挟入することで、扉の厚みに対応して化粧リング６７を取り付けでき、しかも、微小な調整をウェーブワッシャー７３によって行うので、化粧リング６７の浮き上がり距離が小さくなり、化粧リング６７を浮き上がらせることによるこじあけを行い難くできる。これにより、化粧リング６７をこじあけ、表出したシリンダ錠３１に大きな外力を加えることによる破壊が阻止可能になる。
【００１１】
請求項２記載の錠構造は、前記化粧リング６７が、断面内に中空部を有しない中実の略円錐状筒体であることを特徴とする。
【００１２】
この錠構造では、化粧リング６７が中実の略円錐状筒体となって、中空部がないので、化粧リング６７を潰して変形することが困難になり、化粧リング６７が円錐形状のままを維持する。これにより、化粧リング６７が掴み難くなって、変形させた化粧リング６７を掴み、シリンダ錠３１を無理やり回転することによる錠装置の破壊が防止可能になる。
【００１６】
この錠構造では、化粧リング６７が外固定筒４７の外周を空転することとなり、化粧リング６７を掴み、回転させても、この化粧リング６７のみが回転してしまうことから、化粧リング６７を介してシリンダ錠３１を回すことは不可能となる。これにより、シリンダ錠３１を無理やり回すことによる錠機構の破壊が防止可能になる。
【００１７】
【発明の実施の形態】
以下、本発明に係る錠構造の好適な実施の形態を図面を参照して詳細に説明する。
図１は本発明に係る錠構造の分解斜視図、図２は図１に示した錠構造の縦断面図、図３は図１に示した錠構造の水平断面図、図４は図３のＡ−Ａ矢視図、図５は図１に示した錠構造に用いる鍵の平面図である。
なお、図２，図３は、軸線を境に上部と下部で、異なる厚みの扉にシリンダ錠を取り付けた場合の化粧リングの位置を表している。
【００１８】
シリンダ錠３１は、外筒３３の内側に、図示しないキー挿入孔を有した内筒３５を備える。シリンダ錠３１は、外筒３３と内筒３５との間に亘って複数の図示しないピンをキー挿入方向に配設している。図５に示す本実施の形態でのキー３７は、複数の凹部３９を有し、キー挿入孔に挿入されることで、凹部３９によってピンを内外筒直径方向の所定位置に移動し、シアーラインを外筒３３と内筒３５との境界に一致させることで、ピンによる外筒３３と内筒３５との回転規制を解除する。
【００１９】
また、本実施の形態のキー３７は、挿入方向に複数の磁石片４１を備えている。磁石片４１は、シリンダ錠３１内に設けた複数の図示しない磁気可動子を磁力によって、内外筒直径方向に移動し、外筒３３と内筒３５との回転規制を解除する。従って、キー３７をキー挿入孔に挿入することで、ピン及び磁気可動子による規制が解除されて、内筒３５は、キー３７とともに、外筒３３に対して回転可能となる。これにより、扉内に設けた図示しない錠箱内の施錠機構へ施解錠操作力を入力し、扉の木口から図示しないデッドボルトを進退させて施解錠を可能にしている。
【００２０】
このシリンダ錠３１は、固定筒４３の内周に係着している。固定筒４３は、シリンダ錠３１を係着する内固定筒４５と、この内固定筒４５の外周に回動自在に係着する外固定筒４７との二重構造となっている。外固定筒４７は、内周に円周方向の係着溝４９を有している。一方、内固定筒４５には直径方向に貫通する一対の係着穴５１，５１を有している。内固定筒４５と外固定筒４７とは、図３，図４に示すように、係着穴５１，５１に挿入した係着ピン５３，５３を、係着溝４９に係合することで、軸線方向に移動不能となってかつ相対回転可能に係着している。なお、係着ピン５３，５３は、内固定筒４５にシリンダ錠３１が装着されることにより、内固定筒４５よりの脱落が阻止される。
【００２１】
外固定筒４７の前端側には、中央に貫通孔４８ａを有した所定厚さの円板状に形成される前面板４８が形成されるともに、その周縁部分に外固定筒４７の外径より大径となるフランジ部５５を設けている。フランジ部５５には環状の前面化粧板５７を固設してあり、前面化粧板５７は中央部の穴が貫通孔４８ａと一致し、これら穴と貫通孔４８ａから内筒３５のキー挿入孔を表出させる。
【００２２】
内固定筒４５の後部内周には周溝５９を設けてあり、この周溝５９には止めリング６１を嵌入する。止めリング６１は、リング状のライナー６３を介してシリンダ錠３１の後端面を押さえ、シリンダ錠３１の軸線方向後方（図２の左方）への移動を阻止している。
【００２３】
内固定筒４５は、図２に示すように、後端部に、軸線に直交方向の一対の凸部４５ａを外周の上下に有し、これら凸部４５ａに固定穴６５が形成されている。固定筒４３は、扉面に穿設した図示しない錠挿入穴に、この内固定筒４５の後部を挿入し、扉内に設けた図示しない錠箱にこの固定穴６５を介して固定する。これにより、シリンダ錠３１は、内固定筒４５を介して錠箱に回動不能に固定されることになる。
【００２４】
一方、固定筒４３の外固定筒４７は、この内固定筒４５を介して、軸線周りに回動自在に錠箱に設けられることになる。
【００２５】
扉面から突出する固定筒４３の外周（すなわち、外固定筒４７）の先端側外周には、先端側を切除した略円錐状の化粧リング６７を、先端部がシリンダ錠３１の先端側となるように外挿している。つまり、固定筒４３は、シリンダ錠３１を、内固定筒４５を介して錠箱に固定するとともに、化粧リング６７を外固定筒４７の外周に係着している。
【００２６】
化粧リング６７は、断面内に中空部を有しない中実の略円錐状筒体として形成される。化粧リング６７は、例えば、ステンレス、鋳鉄等の金属を切削加工して製作することができる。化粧リング６７は、外固定筒４７の軸線方向に、若干量移動可能となっている。また、この化粧リング６７は、フランジ部５５に当接することで、外固定筒４７からの脱落が阻止される。なお、この化粧リング６７は、外固定筒４７の外周に対し、相対回転可能となって係着される。
【００２７】
化粧リング６７の先端側内周には、拡径部６９を設けている。化粧リング６７の内径と拡径部６９との境は、段部７１となっている。外固定筒４７の外周には、板面が波状となった付勢手段であるウェーブワッシャー７３を外挿している。ウェーブワッシャー７３は、波面の凹凸の高さ範囲で弾性変形可能となっている。ウェーブワッシャー７３は、外固定筒４７のフランジ部５５と、化粧リング６７の段部７１との間で、化粧リング６７を扉面に当接させる方向に付勢する。
【００２８】
また、フランジ部５５と、化粧リング６７の段部７１との間の外固定筒４７には、任意の数に選択される隙間調整用スペーサリング７５を外挿可能に備えている。この隙間調整用スペーサリング７５は、扉の厚みによって変化する段部７１とフランジ部５５との間の間隙に挟入される。
【００２９】
ウェーブワッシャー７３は、一方の面をフランジ部５５に当接し、他方の面を隙間調整用スペーサリング７５に当接している。従って、化粧リング６７は、適宜に調整して挟入した隙間調整用スペーサリング７５の厚みと、ウェーブワッシャー７３の付勢力とによって、後端部を扉面に当接する。
これにより、化粧リング６７は、シリンダ錠３１の扉面からの突出長さが異なる場合であっても、化粧リング６７をシリンダ錠３１の軸線方向に移動し、常に後端面を扉面に当接して錠挿入穴を覆うことができ、厚みの異なる扉に対する同一シリンダ錠３１の取り付けを可能にしている。
【００３０】
なお、隙間調整用スペーサリング７５は、扉厚が厚い場合には、図２の下部に示すように装着されない場合もあるが、この場合においても、ウェーブワッシャー７３は装着されることになる。
【００３１】
次に、このような構成を有する錠構造の組み付け手順を説明する。
この錠構造では、先ず、前面化粧板５７を、外固定筒４７の前面板４８を覆うように取り付けフランジ部５５にかしめ加工等により固定しておく。この前面化粧板５７を固定した外固定筒４７の内周に、後部から内固定筒４５を挿入する。挿入した内固定筒４５の内周からは、係着穴５１，５１に係着ピン５３，５３を挿入し、係着ピン５３，５３を外固定筒４７の係着溝４９に係合させて、外固定筒４７と内固定筒４５とを係着する。
【００３２】
次いで、内固定筒４５にシリンダ錠３１を後部から挿入した後、その後方にライナー６３を挿入する。ライナー６３を挿入した後、内固定筒４５の周溝５９に、さらに止めリング６１を嵌入し、ライナー６３を介してシリンダ錠３１の後端面を押さえ、シリンダ錠３１の後方への移動を阻止して、シリンダ錠３１と固定筒４３とを一体に組み立てる。
【００３３】
次いで、隙間調整用スペーサリング７５の枚数を、予め扉の厚みに合わせて決定しておき、ウェーブワッシャー７３とともに、その枚数の隙間調整用スペーサリング７５を、外固定筒４７の後方から挿入する。その後、外固定筒４７の後方から更に化粧リング６７を挿入する。これにより、ウェーブワッシャー７３と隙間調整用スペーサリング７５とは、フランジ部５５と段部７１とに挟まれた状態となる。
【００３４】
次いで、このようにして化粧リング６７を外挿した外固定筒４７とともに内固定筒４５の後部を、扉面に穿設した図示しない錠挿入穴に挿入し、扉内に設けた図示しない錠箱に、内固定筒４５の固定穴６５を固定する。この際、化粧リング６７は、後端面が扉面に当接し、ウェーブワッシャー７３を弾性変形させることで、軸線方向に僅かに移動する。これにより、化粧リング６７は、ガタツキ無く扉に固定されることになる。
【００３５】
上記した錠構造によれば、化粧リング６７とシリンダ錠３１との間に介在される固定筒４３を互いに回動自在となる内固定筒４５と外固定筒４７とで構成したので、外固定筒４７に係着した化粧リング６７が、内固定筒４５に係着したシリンダ錠３１に対して回動することになる。したがって、外部から化粧リング６７を挟持して回しても、外固定筒４７ととともに化粧リング６７が空転し、かつ、化粧リング６７が外固定筒４７に対して空転することになり、化粧リング６７を介してシリンダ錠３１を回すことは不可能になる。これにより、シリンダ錠３１を無理やり回すことによる錠機構の破壊を防止することができる。
【００３６】
また、化粧リング６７が中実であるので、化粧リング６７を潰して変形することが困難になり、化粧リング６７を円錐形状のままに維持できる。これにより、化粧リング６７が掴み難くなって、変形させた化粧リング６７を掴み、シリンダ錠３１を無理やり回転することによる錠装置の破壊が防止できる。
【００３７】
さらに、外固定筒４７の前面板４８を所定厚さの板状に形成し、シリンダ錠３１の内筒３５のキー挿入孔の周囲に位置した構成としたことで、前面板４８を掴む若しくはこの前面板４８を引っ掛け、内部のシリンダ錠３１とともに回転させるような破壊行為を行おうとしても、この前面板４８は、シリンダ錠３１が固定される内固定筒４５に対して回転する外固定筒４７の一部であり、前面板４８はシリンダ錠３１に対して回転してしまい、シリンダ錠３１を無理やり回転することによる錠装置の破壊を防止でき、かつ、十分な厚さを有した板状部材とすることで、この前面板４８を損壊させるような破壊に対しても防止される。
【００３８】
また、隙間調整用スペーサリング７５の枚数を変えることで、扉の厚みに対応して化粧リング６７を取り付けでき、しかも、微小な調整をウェーブワッシャー７３によって行うので、従来のコイルバネを使用した構造に比べ、化粧リング６７の浮き上がり距離を小さくでき、化粧リング６７を浮き上がらせることによるこじあけを行い難くできる。これにより、化粧リング６７をこじりあけ、表出したシリンダ錠３１に大きな外力を加えることによる破壊を阻止することができる。
【００３９】
【発明の効果】
以上説明したように、本発明に係る錠構造によれば、固定筒を、内固定筒と、この内固定筒の外周に回動自在に係着する外固定筒との二重構造で構成し、シリンダ錠を、内固定筒を介して錠箱に固定し、化粧リングを外固定筒の外周に係着したので、シリンダ錠を内設して錠箱に固定した内固定筒に対し、外固定筒が回動自在となり、その結果、外固定筒に係着した化粧リングがシリンダ錠側に対して空転することになる。これにより、外部から化粧リングを挟持してシリンダ錠を回すことは不可能になり、シリンダ錠を無理やり回すことによる錠機構の破壊を防止して錠構造の防犯性を高めることができる。
【００４０】
また、本発明に係る錠構造によれば、化粧リングを、中空部のない中実の略円錐状筒体で形成しているので、化粧リングを潰して変形することが困難になり、化粧リングが円錐形状のままを維持する。これにより、化粧リングが掴み難くなって、変形させた化粧リングを掴み、シリンダ錠を無理やり回転することによる錠装置の破壊を防止することができる。
【００４１】
さらに、本発明に係る錠構造によれば、外固定筒の先端に、フランジ部を設け、このフランジ部と化粧リングとの間に化粧リングを付勢するウェーブワッシャーを外固定筒に外挿して設け、フランジ部と化粧リングとの間の外固定筒に、任意の数に選択される隙間調整用スペーサリングを外挿可能に備えたので、隙間調整用スペーサリングの枚数を変えて扉の厚みに対応でき、しかも、微小な調整をウェーブワッシャーによって行うので、化粧リングの浮き上がり距離が小さくなり、化粧リングを浮き上がらせることによるこじあけを行い難くできる。この結果、化粧リングをこじりあけ、表出したシリンダ錠に大きな外力を加えることによる錠装置の破壊を阻止することができる。
【００４２】
また、本発明に係る錠構造によれば、化粧リングを外固定筒の外周に対し回動自在に係着する構成としたので、化粧リングが外固定筒の外周を空転することとなり、化粧リングを掴み、回転させても、この化粧リングのみが回転してしまうことから、化粧リングを介してシリンダ錠を回すことはさらに不可能となる。これにより、シリンダ錠を無理やり回すことによる錠機構の破壊が防止可能になる。
【図面の簡単な説明】
【図１】本発明に係る錠構造の分解斜視図である。
【図２】図１に示した錠構造の縦断面図である。
【図３】図１に示した錠構造の水平断面図である。
【図４】図３のＡ−Ａ矢視図である。
【図５】図１に示した錠構造に用いる鍵の平面図である。
【図６】従来の錠構造の断面図である。
【符号の説明】
３１…シリンダ錠
４３…固定筒
４５…内固定筒
４７…外固定筒
５５…フランジ部
６７…化粧リング
７３…付勢手段（ウェーブワッシャー）
７５…隙間調整用スペーサリング
【図１】
0004064082.tif 000002
【図２】
0004064082.tif 000003
【図３】
0004064082.tif 000004
【図４】
0004064082.tif 000005
【図５】
0004064082.tif 000006
【図６】
0004064082.tif 000007